(57)【要約】【課題】本発明は、障害解析に必要な情報が容易の得ることができる自動分析装置を提供することを目的とする。【解決手段】本発明は、分析部、制御部、第１記憶部等が備わる分析本体部と、入力部、表示部、印字部、第２記憶部等が備わる操作部を有する自動分析装置において、前記分析部で分析したデータ、前記表示部に表示する画面情報、前記入力部で入力する入力データを含む各種データ情報を前記第１記憶部に記憶し、自動分析装置に発生する障害の解析に必要な分析依頼や装置構成、警告、分析結果、装置状態を含む障害関連情報を前記各種データ情報より選定して前記第２記憶部に記憶することを特徴とする。【選択図】図１
2008145281.tif 000002
【特許請求の範囲】
【請求項１】
分析部、制御部が備わる分析本体部と、入力部、表示部、印字部、第２記憶部等が備わる操作部と、第１記憶部を有する自動分析装置において、
前記分析部で分析したデータ、前記表示部に表示する画面情報、前記入力部で入力する入力データを含む各種データ情報を前記第１記憶部に記憶し、
自動分析装置に発生する障害の解析に必要な分析依頼や装置構成、警告、分析結果、装置状態を含む障害関連情報を前記各種データ情報より選定して前記第２記憶部に記憶することを特徴とする自動分析装置。
【請求項２】
分析部、制御部、第１記憶部等が備わる分析本体部と、入力部、表示部、印字部、第２記憶部等が備わる操作部を有する自動分析装置において、
前記分析部で分析したデータ、前記表示部に表示する画面情報、前記入力部で入力する入力データを含む各種データ情報を前記第１記憶部に記憶し、
自動分析装置に発生する障害の解析に必要な分析依頼や装置構成、警告、分析結果、装置状態を含む障害関連情報を前記各種データ情報より選定して前記第２記憶部に記憶することを特徴とする自動分析装置。
【請求項３】
分析部、制御部、第１記憶部等が備わる分析本体部と、入力部、表示部、印字部、第２記憶部等が備わる操作部を有する自動分析装置において、
前記操作部に前記第１記憶部に相当するバックアップ第１記憶部を設け、
前記分析部で分析したデータ、前記表示部に表示する画面情報、前記入力部で入力する入力データを含む各種データ情報を前記第１記憶部、および前記バックアップ第１記憶部に記憶し、
自動分析装置に発生する障害の解析に必要な分析依頼や装置構成、警告、分析結果、装置状態を含む障害関連情報を前記各種データ情報より選定して前記第２記憶部に記憶することを特徴とする自動分析装置。
【請求項４】
請求項１または２に記載された自動分析装置において、
前記第１記憶部に記憶されている各種データ情報から前記障害関連情報を選定して第２記憶部に記憶することを特徴とする自動分析装置。
【請求項５】
請求項３記載に記載された自動分析装置において、
前記バックアップ第１記憶部に記憶されている各種データ情報から前記障害関連情報を選定して第２記憶部に記憶することを特徴とする自動分析装置。
【請求項６】
請求項１〜請求項５の何れかに記載された自動分析装置において、
前記障害関連情報を選定して第２記憶部に記憶させる指示は、前記入力部からの入力操作によることを特徴とする自動分析装置。
【請求項７】
液体試料の成分濃度を試薬添加により化学反応させ、その濃度を測定分析する分析部と、
分析に必要なパラメ−タや分析操作、品質管理、メンテナンスなどの入力項目に対する応答や分析の結果を画面表示する表示部と、
測定結果や装置の情報などを印字する印字部と、
画面選択や画面の入力項目に対して入力する入力部と、
前記分析部で分析したデ−タと前記表示部に表示する画面情報や入力部で入力された入力データを含む各種データ情報を記憶する第１記憶部を有する自動分析装置において、
前記各種データ情報から選定された、自動分析装置に発生する障害の解析に必要な分析依頼や装置構成、警告、分析結果、装置状態を含む障害関連情報を記憶する第２記憶部に備えたことを特徴とする自動分析装置。
【請求項８】
請求項１〜請求項５、および請求項７の何れかに記載された自動分析装置において、
前記分析部または前記制御部に障害が発生したとき、障害発生時の警告を起点として、障害関連情報を前記第２記憶部に記憶させることを特徴とする自動分析装置。
【請求項９】
請求項１〜６の何れかに記載された自動分析装置において、
前記障害関連情報を前記第２記憶部に記憶させる際に記憶するデータ情報を選択する情報選択画面が、前記表示部に表示される表示画面の一つとして含まれることを特徴とする自動分析装置。
【発明の詳細な説明】
【技術分野】
【０００１】
本発明は、自動分析装置に係り、記憶媒体として複数の記憶部を有する自動分析装置に関する。
【背景技術】
【０００２】
自動分析装置は、例えば特許文献１に示される。
【０００３】
この自動分析装置において、分析部または制御部に障害が発生した場合、表示部への表示や印字部への印字の情報をもとに、装置の障害解析を実施していた。
【０００４】
また、障害発生原因の解析のために分析依頼や装置構成、警告、分析結果、装置状態を含む情報を装置から取得して解析する手段がある。
【０００５】
【特許文献１】特開２００６−１０３６３号公報
【発明の開示】
【発明が解決しようとする課題】
【０００６】
情報の記憶可能容量には上限があるため、障害が発生した場合、発生後の運用により過去の情報が新しい情報によって更新されることがあった。
【０００７】
すなわち、自動分析装置の記憶部に格納している装置の情報は記憶可能範囲が限られているため、過去の情報が最新の情報によって更新されることがある。
【０００８】
そのため、リモート接続が不可である場所に設置された装置の障害発生時の情報を確認することが難しく、障害解析に必要な情報の取得に時間を要することがあった。
【０００９】
本発明は、上記の問題に鑑み、障害解析に必要な情報を容易に得ることができる自動分析装置を提供することを目的とする。
【課題を解決するための手段】
【００１０】
本発明は、分析部、制御部、第１記憶部等が備わる分析本体部と、入力部、表示部、印字部、第２記憶部等が備わる操作部を有する自動分析装置において、前記分析部で分析したデータ、前記表示部に表示する画面情報、前記入力部で入力する入力データを含む各種データ情報を前記第１記憶部に記憶し、自動分析装置に発生する障害の解析に必要な分析依頼や装置構成、警告、分析結果、装置状態を含む障害関連情報を前記各種データ情報より選定して前記第２記憶部に記憶することを特徴とする。
【発明の効果】
【００１１】
本発明によれば、障害関連情報を第２記憶部より容易に入手することができる。
【発明を実施するための最良の形態】
【００１２】
本発明の実施例について、図を引用して説明する。
【００１３】
まず、自動分析装置の全体構成を表す図１に沿って説明する。
【００１４】
自動分析装置は、分析部１−１、制御部１−７、第１記憶部１−２等が備わる分析本体部と、入力部１−３、表示部１−４、印字部１−５、第２記憶部１−６等が備わる操作部を有する自動分析装置を有する。
【００１５】
ユーザによって入力部１−５から分析の依頼が入力され、入力された依頼は表示部１−３に表示するとともに制御部１−７に送信される。
【００１６】
制御部１−７は依頼を割り付け、依頼に関する情報を第１記憶部１−２に格納し、分析部１−１に送信する。分析部１−１では依頼された項目の検体に試薬を添加し、化学反応させて、その濃度を測定結果として算出する。
【００１７】
測定結果は制御部１−７に送信され、第１記憶部１−２に格納するとともに、表示部１−３への結果表示および印字部１−４からの結果印字を行う。
【００１８】
次に第２図を引用して動作フロ−を説明する。
【００１９】
ユーザが入力部１−５から装置にログインすることにより運用を開始する（２−１）。  その後の運用に従い、制御部１−７は分析依頼や装置構成、警告、分析結果、装置状態を含む装置情報を第１記憶部１−２に累積する（２−２）。
【００２０】
分析部１−１または制御部１−７において障害が発生したとき（２−３）、制御部１−７は障害のレベルに従った警告を出力し、表示部１−３に表示する（２−４）。
【００２１】
ユーザはサービス担当に障害が発生したことを連絡し（２−５）、サービス担当は障害のレベルから解析が必要であることを判断した場合（２−６）、解析のための装置情報の取得作業をユーザに依頼する（２−７）。
【００２２】
第３図に情報収集機能実施画面を示す。
【００２３】
３−１は、Ｄａｔａ  Ｆｉｌｅ  ＢａｃｋＵｐボタン、３−２はキャンセルボタン、３−３はＯＫボタンである。
【００２４】
ユーザは、入力部１−５のメンテナンス項目から情報収集機能実施画面を開き（２−８）、３−１押下によりＤａｔａ  Ｆｉｌｅ  ＢａｃｋＵｐを選択し、３−３を押下することで（２−９）、データファイル選択画面を表示する（２−１０）。３−２押下のとき情報収集機能実施画面を閉じる。
【００２５】
第４図にデータファイル選択画面を示す。
【００２６】
４−１はＡｌｌ  Ｄａｔａ  Ｆｉｌｅボタン、４−２はＳｅｌｅｃｔ  Ｄａｔａ  Ｆｉｌｅボタン、４−３はデータファイル選択ボタン、４−４はキャンセルボタン、４−５はＯＫボタンである。
【００２７】
ユーザは、４−１により全ファイルの収集を行うか、４−２により収集する情報を選択するかのいずれかを選択し（２−１１）、さらに４−２選択時は、４−３チェックボックスにより収集する情報を選択し（２−１２）、４−５を押下する（２−１３）。
【００２８】
４−４押下のときは、データファイル選択画面を閉じる。
【００２９】
装置状態がスタンバイであることにより情報収集実行可能と判断された場合（２−１４）、実行確認画面を表示する（２−１５）。
【００３０】
実行確認画面に関して図７を引用して説明する。
【００３１】
７−１は実行を回避するＮｏボタン、７−２は実行を継続するＹｅｓボタンである。
【００３２】
５−２押下により、装置情報の収集を開始する（２−１６）。データファイル収集中である旨のメッセージを表示部１−３に表示する。
【００３３】
制御部１−７は、データファイル選択画面での選択に従い第１記憶部１−２から装置情報の収集を行い、第２記憶部１−６にコピーする（２−１７）。コピー終了後、データファイル収集完了のメッセージを表示部１−３に表示する（２−１８）。
【００３４】
サービス担当は、第２記憶部１−６に収集されたデータの解析を行う（２−１９）。
【００３５】
第１記憶部１−２と第２記憶部１−６との違いを更に詳しく説明する。
【００３６】
第１記憶部１−２には、分析部で分析したデータ、表示部に表示する画面情報、入力部で入力する入力データを含む各種データ情報が蓄積される。
【００３７】
これに対し、第２記憶部１−６には、自動分析装置に発生する障害の解析に必要な分析依頼や装置構成、警告、分析結果、装置状態を含む障害関連情報が蓄積される。つまり、各種データ情報より選定された障害関連情報だけが蓄積される。
【００３８】
このため、第２記憶部１−６に蓄積されている記録より、障害解析に必要な情報が入手できる。
【００３９】
また、各種データ情報を蓄積する第１記憶部１−２には、記憶容量にも限度がある。一杯になると、上書き保存により、過去の情報が最新の情報によって更新されてなくなる。このため、障害解析に必要な情報が入手困難になる。
【００４０】
第２記憶部１−６には、選定された障害関連情報だけに搾られて蓄積されるので、過去の情報を含む一連を第２記憶部１−６より入手でき、障害解析に必要な情報が容易に確保できる。
【００４１】
次に、図５に示す障害に関する情報の収集について説明する。
【００４２】
ユーザは入力部の入力画面から装置にログインすることにより運用を開始する（５−１）。その後の運用に従い、装置は分析依頼や装置構成、警告、分析結果、装置状態を含む装置情報を第１記憶部１−２に累積する（５−２）。
【００４３】
分析部１−１または制御部１−７において障害が発生したとき（５−３）、制御部１−７は障害のレベルに従った警告を出力し、表示部１−３に表示する（５−４）。
【００４４】
制御部１−７は、警告の発生元を判定し（５−５）、発生部位によって全情報を取得するか（５−６）、または収集する情報を選別するかの切り分けを行う。
【００４５】
発生元が制御部１−７、アラームコードにより収集する情報を細分化する（５−７）。情報の収集にあたり、装置状態がスタンバイであることにより情報収集実行可能と判断された場合（５−８）、情報の収集を開始する旨のメッセージを表示する。
【００４６】
装置状態がスタンバイ以外のときは、スタンバイ状態への遷移を促す旨のメッセージを表示する。この場合、自動による取得は行わない。
【００４７】
情報取得時、制御部１−７は、全情報またはアラームコード識別による選択に従い第１記憶部１−２から装置情報の収集を行い、第２記憶部１−６にコピーする（５−９）。
【００４８】
コピー終了後、データファイル収集完了のメッセージを表示部１−３に表示する（５−１０）。サービス担当は、第２記憶部１−６に収集されたデータの解析を行う（５−１１）。
【００４９】
上記のように障害発生時の警告を起点として、自動でその時点での当該障害解析に有用な情報を判断し第１記憶部の情報を収集して第２記憶部に記憶する。こうして、障害解析に必要な情報の収集が自動で行なわれるので、ユーザにかかる情報収集の負担を軽減できる。
【００５０】
図６に示す他の実施例について説明する。
【００５１】
この実施例は、図１に示す実施例に、バックアップ第１記憶部６−８を追加したところが特徴である。
【００５２】
バックアップ第１記憶部６−８には、第１記憶部６−２と同様に各種データ情報が記憶される。第２記憶部には、各種データ情報から選定された障害関連情報が記憶される。
【００５３】
第２記憶部への障害関連情報の記憶は、第１記憶部６−２、バックアップ第１記憶部６−８と一緒に行なわれる。
【００５４】
また、第２記憶部への障害関連情報の記憶は、バックアップ第１記憶部６−８に蓄積した後、入力部６−５の手動操作によりバックアップ第１記憶部６−８よりコピーを取るようにすることも可能である。
【図面の簡単な説明】
【００５５】
【図１】本発明の実施例に係わるもので、自動分析装置の概略図。
【図２】本発明の実施例に係わるもので、障害関連情報を収集する動作フロー。
【図３】本発明の実施例に係わるもので、情報収集機能実施画面。
【図４】本発明の実施例に係わるもので、データファイル選択画面。
【図５】本発明の実施例に係わるもので、障害関連情報を収集する他の動作フロー。
【図６】本発明の他の実施例に係わるもので、自動分析装置の概略図。
【図７】本発明の実施例に係わるもので、実行確認画面図。
【符号の説明】
【００５６】
１−１…分析部、１−２…第１記憶部、１−３…表示部、１−４…印字部、１−５…入力部、１−６…第２記憶部、３−１…Ｄａｔａ  Ｆｉｌｅ  ＢａｃｋＵｐボタン、３−２…Ｃａｎｃｅｌボタン、３−３…ＯＫボタン、４−１…Ａｌｌ  Ｄａｔａ  Ｆｉｌｅボタン、４−２…Ｓｅｌｅｃｔ  Ｄａｔａ  Ｆｉｌｅボタン、４−３…データファイル選択ボタン、４−４…Ｃａｎｃｅｌボタン、４−５…ＯＫボタン、６−８…バックアップ第１記憶部、１−７…制御部。
【図１】
2008145281.tif 000003
【図２】
2008145281.tif 000004
【図３】
2008145281.tif 000005
【図４】
2008145281.tif 000006
【図５】
2008145281.tif 000007
【図６】
2008145281.tif 000008
【図７】
2008145281.tif 000009